(57)【要約】【課題】作業者が手を差込みにくい位置で接続され、かつ小型である故、把持が不安定かつ不確実である小型のコネクタであっても、その挿脱時に他の収容部品やコネクタを破損したりすることがなく、容易でかつ確実に挿脱できるプラグココネクタの挿脱技術を提供すること。【解決手段】狭深箇所に取り付けられるレセプタクルコネクタ２に対し、プラグコネクタ３を挿脱するためのコネクタ挿脱用装置１であって、このコネクタ挿脱用装置１は、プラグコネクタ３をレセプタクルコネクタ２に案内するテンプレート４、テンプレート４を介してレセプタクルコネクタ２に向けてプラグコネクタ３を送る治具板５とを有する。【選択図】図１
2004039305.tif 000002
【特許請求の範囲】
【請求項１】
一方のコネクタ（２）に対し、他方のコネクタ（３）を挿脱するためのコネクタ挿脱用装置（１）であって、
前記他方のコネクタ（３）を前記一方のコネクタ（２）に案内する案内手段（４）と、
この案内手段（４）を介して前記一方のコネクタ（２）に向けて前記他方のコネクタ（３）を送るコネクタ移動手段（５）とを有するコネクタ挿脱用装置（１）。
【請求項２】
前記コネクタ移動手段（５）は、前記他方のコネクタ（３）を保持する保持手段（２９）を有することを特徴とする請求項１に記載のコネクタ挿脱用装置（１）。
【請求項３】
前記案内手段（４）は、案内溝（２１）を有し、この案内溝（２１）の先端部（２３）には、案内溝（２１）の長手方向に延び案内溝（２１）よりも幅狭なスリット（２５）が形成され、
前記コネクタ移動手段（５）は、前記案内溝（２１）及び前記スリット（２５）に対しスライド自在に嵌合されるスライド嵌合片（２７）を有し、このスライド嵌合片（２７）と前記案内溝（２１）との間のすき間（２８ａ）が前記スライド嵌合片（２７）と前記スリット（２５）との間のすき間（２８ｂ）よりも大きいことを特徴とする請求項２に記載のコネクタ挿脱用装置（１）。
【請求項４】
前記他方のコネクタ（３）には、その後端部から後方に向けて平行に延びる隣接した一対のケーブル（８，８）が接続され、前記保持手段（２９）で前記他方のコネクタ（３）を保持すると、前記保持手段（２９）の構成部位（２７）が前記一対のケーブル（８）同士の間に位置することを特徴とする請求項３に記載のコネクタ挿脱用装置（１）。
【請求項５】
前記保持手段（２９）は、前記他方のコネクタ（３）を上下方向で狭持する上下挟持部３１と、前記他方のコネクタ（３）の側方への動きを抑制する左右抑制板（２７）とを構成部位として含み、この左右抑制板（２７）が、他方のコネクタ（３）の後端部において、前記保持手段（２９）の構成部位として前記一対のケーブル（８）同士の間に位置することを特徴とする請求項４に記載のコネクタ挿脱用装置（１）。
【請求項６】
前記一方のコネクタ（２）と前記他方のコネクタ（３）とが接続しているときに両コネクタの接続状態を固定するロック機構を有することを特徴とする請求項５に記載のコネクタ挿脱用装置（１）。
【請求項７】
前記ロック機構は、前記他方のコネクタ（３）に取り付けられたコネクタロックツメ部（１０）と、前記一方のコネクタ（２）に形成された係合孔（１２）とを有することを特徴とする請求項６に記載のコネクタ挿脱用装置（１）。
【請求項８】
前記コネクタ移動手段（５）は、前記ロック機構によるロックを解除するロック解除機構（４０）を有することを特徴とする請求項７に記載のコネクタ挿脱用装置（１）。
【請求項９】
前記ロック解除機構は、前記コネクタロックツメ部（１０）のロック状態を解放するコネクタロックツメ解放板（４０）であることを特徴とする請求項８に記載のコネクタ挿脱用装置（１）。
【請求項１０】
前記案内手段はテンプレート（４）であって、前記コネクタ移動手段（５）は、前記テンプレート（４）が有する案内溝（２１）の長さよりも長尺な治具板（５）または治具棒であることを特徴とする請求項９に記載のコネクタ挿脱用装置（１）。
【請求項１１】
前記コネクタ移動手段（５）及び前記他方のコネクタ（３）には、前記一方のコネクタ（２）から前記他方のコネクタ（３）を外す時に、前記コネクタ移動手段（５）に前記他方のコネクタ（３）を連結する連結手段（１８）を有することを特徴とする請求項１０に記載のコネクタ挿脱用装置（１）。
【請求項１２】
前記連結手段（１８）は、コネクタ移動手段（５）に形成される係合手段としてのラッチ部（１９）と、前記他方のコネクタ（３）に形成され前記ラッチ部（１９）と係合する係合用突起（１７）とを有することを特徴とする請求項１１に記載のコネクタ挿脱用装置（１）。
【請求項１３】
一方のコネクタ（２）に対し、他方のコネクタ（３）を挿脱するためのコネクタ挿脱方法であって、
前記他方のコネクタ（３）を前記一方のコネクタ（２）に対して挿脱するために前記他方のコネクタ（３）を前記一方のコネクタ（２）に対して近づけたり遠ざけたりするための案内溝（２１）が形成されたテンプレートと、前記案内溝（２１）に沿って前記他方のコネクタ（３）を移動するコネクタ移動手段（５）とを用いてコネクタの挿脱を行うコネクタ挿脱方法。
【発明の詳細な説明】
【０００１】
【発明の属する技術分野】
この発明は、コネクタ挿脱技術に関する。
【０００２】
【従来の技術】
電子機器の小型化は、コンピュータにあっても例外ではなくデータ処理速度の高速化に伴いマザーボードに装着される複数の基板の実装密度を高める必要上、各基板間の隙間は経年的に小さくなる傾向にある。また、データの伝搬速度の遅延を小さくするためには、電気抵抗が小さくサイズの小さな基板を用いる必要がある。
【０００３】
たとえばネットワーク上に用意されたサーバは、ネットワーク内のコンピュータ（こちらをサーバに対して「クライアント」と呼ぶこともある）に対して、共有ディレクトリサービスを提供したり、共有プリンタサービスを提供したり、認証サービスを提供したりする等各種サービスを提供する。このようにサーバは、一般には複数のクライアントから利用できる各種のサービスを提供するものである。このためサーバ側のコンピュータシステムにおいて、その処理能力を高める必要が高まり、サーバ側コンピュータのマザーボードには、多数の基板が載置され、サイズの小さな基板がサイズの大きな基板の中に配置される場合が少なくない。そして、そのような場合に、作業者が基板同士の電気的配線を行うと隣接する基板に当接してしまうため、コネクタ同士の接続（詳しくは、レセプタクルコネクタとプラグコネクタとの接続）がしにくい。
【０００４】
特に接続箇所が狭くて奥まった狭深箇所にある場合には一層作業性が悪化する。そこでマザーボードに基板を取り付けた際に基板の外周縁に沿った箇所でコネクタの接続ができるように設定すれば、配線作業は比較的容易になるけれどもそれでは設計の自由度が小さくなってしまうという問題がある。
【０００５】
また、必要に応じてコネクタ同士の接続を解除する場合、レセプタクルコネクタからプラグコネクタを抜去する必要があるが、この場合も作業者の手作業により行うものであるから狭い空間内で行うこれら作業の処理能力が低下するというのが現状である。
【０００６】
【発明が解決しようとする課題】
すなわち、手の差込みがケース内の収容部品に邪魔されて、プラグコネクタの抜去が困難であったり、手の無理な差込みにより収容部品を破損してしまったりすることが考えられる。またコネクタの小型化は手の差込みの困難と併せて、プラグコネクタの把持を不安定としコネクタの接続を不確実にする。このため抜去したプラグコネクタをコンピュータケース内に落として近辺の部品を損傷させてしまったりすることがある。
【０００７】
またプラグコネクタのレセプタクルコネクタからの抜去をするに当たり、把持が不安定かつ不確実であると、抜去に当たってプラグコネクタが左右にこじられ易く、よってコンタクトの曲がりやその他の破損を招来する虞があった。
【０００８】
加えて最近の高性能なＣＰＵでは、３００本とか４００本ものピンを有している場合が少なくないので、ソケットに挿入したり、取り外したりするにも力が必要である。また、ピンを確実に挿入したり、曲げないできちんと取り外すためには、ある程度の習熟が必要である。　このためさほど技能を要さなくても確実にピンをソケットに挿入できる技術の提案が望まれていた。。
【０００９】
本発明は上記実情に鑑みて発明されたものであり、その解決しようとする課題は、作業者が手を差込みにくい位置で接続され、かつ小型である故、把持が不安定かつ不確実である小型のコネクタであっても、その挿脱時に他の収容部品やコネクタを破損したりすることがなく、容易でかつ確実に挿脱できるプラグココネクタの挿脱技術を提供することにある。
【００１０】
【課題を解決するための手段】
【００１１】
そこで本発明は次のようにした。
【００１２】
すなわち、本発明は、一方のコネクタに対し、この一方のコネクタと接続関係にある他方のコネクタを挿脱するためのコネクタ挿脱用装置である。
【００１３】
本発明に係るコネクタ挿脱用装置には、前記他方のコネクタを前記一方のコネクタに案内する案内手段と、この案内手段を介して前記一方のコネクタに向けて前記他方のコネクタを送るコネクタ移動手段とを有するようにした。
【００１４】
コネクタ移動手段は、前記他方のコネクタを保持する保持手段を有する。
【００１５】
前記案内手段は、案内溝を有する。そして、この案内溝の先端部には、案内溝の長手方向に延び案内溝よりも幅狭なスリットが形成する。　前記コネクタ移動手段は、前記案内溝及び前記スリットにスライド自在に嵌合されるスライド嵌合片を有し、このスライド嵌合片と前記案内溝との間のすき間が前記スライド嵌合片と前記スリットとの間のすき間よりも大きくする。
【００１６】
このようにしておけば、スライド嵌合片は、相対的に、これが案内溝を移動するときは制動を受けにくいが速く、スリットを移動するときは制動を受けるが確実に移動できる。
【００１７】
そして、スリットの先端部分において前記一方のコネクタと前記他方のコネクタとの接合が丁度なされるようにしておけば、コネクタ移動手段がスリットに行き着くまでは速く移動でき、コネクタ移動手段がスリットに行き着いた後は確実に、他方のコネクタを一方のコネクタに向けて移動できる。よって安定してかつ確実に両コネクタの接合ができる。
【００１８】
前記他方のコネクタには、その後端部から後方に向けて平行に延びる隣接した一対のケーブルを接続する。そして、前記保持手段で前記他方のコネクタを保持したときに、前記保持手段の構成部位を前記一対のケーブル同士の間に位置させることも考えられる。
【００１９】
前記保持手段は、前記他方のコネクタを上下方向で狭持する上下挟持部と、前記他方のコネクタの側方への動きを抑制する左右抑制板とを含み、この左右抑制板が、他方のコネクタの後端部において、前記一対のケーブル同士の間に位置することが好ましい。
【００２０】
このようにすると、他方のコネクタをコネクタ移動手段の保持手段である上下挟持部と左右抑制板とによって、他方のコネクタの上下左右が抑制される。また、他方のコネクタを保持手段で保持した状態で、前記一対のケーブルを作業者が後方に引っ張れば、左右抑制板の先端縁が他方のコネクタの後端部に当接するようになり、他方のコネクタはその前後方向への動きも抑制されるようになる。このように他方のコネクタは上下・左右・前後において抑制されるため、他方のコネクタは一方のコネクタに向けて安定して移動する。
【００２１】
前記一方のコネクタと前記他方のコネクタとが接続しているときに両コネクタの接続状態を固定するロック機構を有すると好ましい。両コネクタが勝手に外れないようにするためである。
【００２２】
ロック機構は、前記他方のコネクタに取り付けられたコネクタロックツメ部と、前記一方のコネクタに形成された係合孔とを有するものを挙げられる。他方のコネクタを一方のコネクタから取り外すには、コネクタロックツメ部と係合孔との係合を解除すればよい。
【００２３】
この解除を行うにあたり、コネクタ移動手段には、ロック機構によるロックを解除するロック解除機構を有する。
【００２４】
ロック解除機構としては、前記コネクタロックツメ部のロック状態を解放することができる板材のようなものが考えられる。この板材（以下「コネクタロックツメ解放板」）がコネクタロックツメ部と係合孔との間に介在されて両者の係合を解くようになっているとよい。
【００２５】
前記案内手段はテンプレートであって、前記コネクタ移動手段は、前記テンプレートが有する案内溝よりも長尺な治具板または治具棒であることが好ましい。
【００２６】
コネクタ移動手段及び前記他方のコネクタには、前記一方のコネクタから前記他方のコネクタを外す時に、前記コネクタ移動手段に前記他方のコネクタを連結する連結手段を有する。
【００２７】
前記連結手段は、コネクタ移動手段に形成される係合手段としてのラッチ部と、前記他方のコネクタに形成され前記ラッチ部と係合する係合用突起とを有する。
【００２８】
また、本発明は、一方のコネクタに対し、この一方のコネクタと接続関係にある他方のコネクタを挿脱するためのコネクタ挿脱方法であって、前記他方のコネクタを前記一方のコネクタに対して挿脱するために前記他方のコネクタを前記一方のコネクタに対して近づけたり遠ざけたりするための案内溝が形成されたテンプレートと、前記案内溝に沿って前記他方のコネクタを移動するコネクタ移動手段とを用いてコネクタの挿脱を行う。
【００２９】
本発明はこのような構成であるから作業者が手を差込みにくい位置でコネクタを挿脱する場合でも、コネクタが他の収容部品を破損したりすることがなく、当該挿脱を容易かつ確実に実行できる。
【００３０】
【発明の実施の形態】
以下本発明の実施の形態を添付した図面に従って詳細に説明する。
【００３１】
コネクタ挿脱用装置１は、コンピュータのマザーボードにおいて林立する図示しない多数の基板同士の間その他の狭深箇所において、前記基板に取り付けられる一方のコネクタであるレセプタクルコネクタ２に対し、他方のコネクタであるプラグコネクタ３を挿脱するための治具である。
【００３２】
詳しくは、図１〜図３からわかるように、コネクタ挿脱用装置１は、レセプタクルコネクタ２にプラグコネクタ３を案内する案内手段としてのテンプレート４と、テンプレート４を介してレセプタクルコネクタ２に向けてプラグコネクタ３を送るコネクタ移動手段としての治具板５とからなる。
【００３３】
図４及び図５に示すように、レセプタクルコネクタ２及びプラグコネクタ３は嵌合関係にある。そして、両者２，３を嵌合すると、レセプタクルコネクタ２の凹部６内に設けた多数のピンが、プラグコネクタ３の凸部７に前記ピンに対応して設けられている図示しない多数のソケットに嵌り合う。
【００３４】
図１〜図７からわかるように、プラグコネクタ３は、ほぼ直方体形状をしており、その後端部からは、後方に向けて平行に延びる隣接した一対のケーブル８，８が接続されている。
【００３５】
ここで、図１に示すように、プラグコネクタ３をレセプタクルコネクタ２に向けて移動する方向を前方といい、レセプタクルコネクタ２からプラグコネクタ３を引き抜く方向を後方という。そして、作業者が前方を向いた状態でその左右の側をそれぞれ右方及び左方といい、図１に正対した状態でその上下の側を上方及び下方ということにする。　プラグコネクタ３の一平面９にはレセプタクルコネクタ２とプラグコネクタ３とが接続されている時に両コネクタの接続状態を固定するロック機構１０の構成要素であるコネクタロックツメ部１０ａが取り付けられている。
【００３６】
そして、図４や図５に示すように、レセプタクルコネクタ２の一平面１１には、ロック機構１０の他の構成要素として、コネクタロックツメ部１０ａと係合関係にある係合孔１２が形成されている。
【００３７】
コネクタロックツメ部１０ａは、一対のフック状のツメ１３・１３を有し、その長手方向中央を枢軸１４にして、その両端が上下するシーソー機構を有する板状体である。そして、レセプタクルコネクタ２とプラグコネクタ３とを接続した時に、図５に示すよう、ツメ１３，１３が係合孔１２，１２と、板ばね１５の弾性により係合するよう付勢されている。よって、反ツメ側端１６は相対的に図４〜図７のように浮いた状態になるので、反ツメ側端１６に外力を加えれば、ツメ１３が係合孔１２から浮き、レセプタクルコネクタ２とプラグコネクタ３とのロックが外れる。したがって、その後、プラグコネクタ３を後方に引けば、レセプタクルコネクタ２とプラグコネクタ３とは分離する。
【００３８】
また、図４〜図７に示すように、コネクタロックツメ部１０ａの枢軸１４の左右両側（コネクタロックツメ部の一対の長縁側）にはそれぞれ突起１７が形成されている。突起１７は、レセプタクルコネクタ２からプラグコネクタ３を外す時に、プラグコネクタ３と治具板５とを連結する連結手段１８の構成要素の一つである。この突起１７，１７以外に連結手段の構成要素としては、前記治具板５に形成される係合手段としてのラッチ部１９がある。
【００３９】
ラッチ部１９は、突起１７と係合する。該係合により、治具板５を後方に引けば、治具板５と連結しているプラグコネクタ３がレセプタクルコネクタ２から引き抜かれ、レセプタクルコネクタ２とプラグコネクタ３との接合が解かれる。よって突起１７のことを、プラグコネクタ３に形成され、ラッチ部１９と係合する係合用突起ということができる。
【００４０】
テンプレート４は、図１〜図３，図８〜図１０からわかるように並列する複数の案内溝２１を有する。そして、案内溝２１の最先端に、レセプタクルコネクタ２が位置する。
【００４１】
また、各案内溝２１には、その先端部２３の中央に長手方向に延びかつ案内溝２１よりも幅狭なスリット２５が貫通形成されている。
【００４２】
治具板５は、図１〜図３，図１１，図１３からわかるように細長い板金（または棒体）を扁平なクランク状に曲折したものである。また、テンプレート４が有する案内溝２１よりもその全長は長い。また治具板５の後部は、作業者が把持す５ａとされ、前部は作用部５ｂとされている。
【００４３】
取っ手５ａは、治具板５の後端に例えばプラスチックのカバー体を被覆したものを挙げられる。
【００４４】
作用部５ｂは、図４〜図７，図１１〜図２６からわかるように、案内溝２１及びスリット２５に対しスライド自在に嵌合されるスライド嵌合片としてのコネクタ保持板２７を有する。
【００４５】
案内溝２１よりもスリット２５は幅狭であるため、コネクタ保持板２７をテンプレート４の案内溝２１に嵌合すると、両者の間にできるすき間２８ａは、図２５及び図２６からわかるように、コネクタ保持板２７をテンプレート４のスリット２５に嵌合した時に両者の間にできるすき間２８ｂよりも大きくなる。
【００４６】
さらに治具板５は、その作用部５ｂにプラグコネクタ３を保持する保持手段２９を有する。
【００４７】
保持手段２９は、プラグコネクタ３を上下方向で狭持する上下挟持部３１と、プラグコネクタ３の側方への動きを抑制する左右抑制板としての機能も有する前記コネクタ保持板２７とからなる。
【００４８】
コネクタ保持板２７は、上下挟持部３１の構成要素でもある。すなわち上下挟持部３１は、相対的に上部に位置し治具板５の作用部５ｂを二股状に形成することで幾分長めの脚片である長尺脚片３３・３３と、相対的に下部に位置する前記コネクタ保持板２７を含む。
【００４９】
治具板５でプラグコネクタ３を保持すると、脚片３３・３３の間の隙間３４に前記コネクタロックツメ部１０ａが位置するようになり、また脚片３３・３３の下面３３ａがプラグコネクタ３の上面３ａと当接するようになる。
【００５０】
図１４からわかるように、コネクタ保持板２７は作用部５ｂの下面から植立する直角三角形状の板材であって、頂点２７ａから前方に向けて、短尺脚片３６が突出形成されている。
【００５１】
また、同図１４からわかるように、長尺脚片３３と短尺脚片３６との間のすき間寸法Ｌ１は、プラグコネクタ３を前記脚片３３・３３，３６で挟持するに丁度よいものとされている。また脚片３３・３３，３６で前記プラグコネクタ３を保持すると、図４〜図７，図１４，図１７〜図２４に示すように、プラグコネクタ３の後端部３ｂにおいて、コネクタ保持板２７が前記保持手段２９の構成部位として前記一対のケーブル８，８同士の間に位置する。この結果、コネクタ保持板２７を介してプラグコネクタ３は左右の動きが抑制される。よって、コネクタ保持板２７は、プラグコネクタ３の左右方向への動きを抑制する左右抑制板といえる。
【００５２】
作用部５ｂには前記ラッチ部１９が固着されている。ラッチ部１９は、作用部５ｂと同様二股形状を呈する。すなわちラッチ部１９は、実際に係合用突起１７，１７とそれぞれ係合する二脚のラッチ片３８，３８を有し、その間には、ロック機構によるロックを解除するロック解除機構として機能し、断面が下方に屈曲されて”逆へ”の字形を呈するコネクタロックツメ解放板４０を有する。
【００５３】
ラッチ片３８，３８とコネクタロックツメ解放板４０は、一枚の金属板で一体形成されている。そして、ラッチ部１９の基端部は、片持ちばり状に作用部５にナット締めされている。また、ラッチ部１９の自由端部（ラッチ片３８を含む部分）は緩やかに先端が上方に向くように湾曲形成されている。
【００５４】
また、図１４に示すように、調整ねじ４３の回転方向及び回転量に応じてラッチ部１９の湾曲具合が変位する構成となっている。ラッチ部１９の高さ調整は、調整ねじ４３を締めたり弛めたりすることで行う。調整ねじ４３を締めることにより及び弛めることにより、それぞれ図１４に示す実線と想像線で示す位置にラッチ部１９は変位する。　想像線で示す位置にあるときラッチ部１９の自由端は拡開することができるが、実線で示す位置にあるときラッチ部１９の自由端はその開いた状態を保持する。
【００５５】
プラグコネクタ３と治具板５とを組み合わせても、ラッチ部１９が実線位置にあれば、ラッチ片３８は前記係合用突起１７と係合しない。しかし、プラグコネクタ３と治具板５とを組み合わせた時にラッチ部１９が想像線の位置にあれば、ラッチ片３８は突起１７と係合する。
【００５６】
次にこのような構成のコネクタ挿脱用装置を用いてプラグコネクタ３をレセプタクルコネクタ２に挿脱する手順を図１，図４〜図７，図１３〜図２６を参照しながら詳述する。
【００５７】
まずプラグコネクタ３をレセプタクルネクタ２に差し込む場合について述べる。
【００５８】
この場合、図４に示すように、治具板５にケーブル付きのプラグコネクタ３を装着すると、ラッチ部１９のラッチ片３８は突起１７と係合しない非ロック状態におかれる。よって、プラグコネクタ３から治具板５を引き離す方向に力を加えれば、プラグコネクタ３と治具板５とは分離する。だたし、保持手段２９は作用しているので、治具板５にプラグコネクタ３を装着すれば、上下左右のプラグコネクタ３の動きは制動される。加えて、作業者は、図１８に示すように、治具板５の取っ手５ａを把持しつつ、その際にケーブル８を矢印のように後方へ引っ張る。このようにすることで、その時の引っ張り力でプラグコネクタ３の後端部３ｂが、コネクタ保持板２７の先端縁２７ｃに当接し、プラグコネクタ３は前後方向においても制動される。
【００５９】
この状態で、作業者は、図１に示すように、治具板５に装着されたプラグコネクタ３をテンプレート４の案内溝２１に差し込み、コネクタ保持板２７の短尺脚片３６を溝２１に嵌合する。そして案内溝２１の先端に予め備えられているレセプタクルコネクタ２に向けてプラグコネクタ３を治具板５と共に移動する。
【００６０】
プラグコネクタ３をレセプタクルコネクタ２に差し込むと、図４及び図５からわかるように、コネクタロックツメ部１０ａのツメ１３，１３が、レセプタクルコネクタ２の前記係合孔１２，１２とそれぞれ係合する。
【００６１】
なお、プラグコネクタ３とレセプタクルコネクタ２との差込みが確実に実現されるように、案内溝２１の先端部にある前記スリット２５とコネクタ保持板２７の短尺脚片３６を含むコネクタ保持板２７の下縁２７ｂとが嵌合する。
【００６２】
コネクタ保持板２７がスリット２５と嵌合するまでの間、コネクタ保持板２７は案内溝２１と嵌合する。案内溝２１とコネクタ保持板２７との間にできるすき間２８ａの方が、スリット２５とコネクタ保持板２７との間にできるすき間２８ｂよりも大きいので（図２５，図２６参照）、コネクタ保持板２７がスリット２５の無い案内溝２１の部位を通るときは、案内溝２１ｃの壁面と接触する割合が少なく、それだけ制動されないようになる。このため、作業者はプラグコネクタ３を速く移動できる。
【００６３】
これに対しコネクタ保持板２７がスリット２５と嵌合するときは、スリット２５の壁面と接触する割合が多く、それだけ制動される。しかし、コネクタ保持板２７がスリット２５と嵌合している間、コネクタ保持板２７はこれがスリット２５の中心軸から大きくずれることはない。よって、図５に示すようにプラグコネクタ３のソケットと、レセプタクルコネクタ２のピンとの結合が確実になる。
【００６４】
また、プラグコネクタ３をレセプタクルネクタ２に差し込む段階では既述のように治具板５とプラグコネクタ３とは非ロック状態である。よって治具板５をゆっくりと後退すれば、図５のようにプラグコネクタ３とレセプタクルコネクタ２との差込み状態を維持しながらプラグコネクタ３から治具板５が分離し、プラグコネクタ３とレセプタクルコネクタ２との差込作業が終了する。なお、この時作業者がケーブル８にテンションを掛けてまっすぐにしておけば、一対のケーブル８，８間に位置するコネクタ保持板２７を後方へ抜き易くなる。
【００６５】
次にレセプタクルコネクタ２に接続してあるプラグコネクタ３をレセプタクルネクタ２から引き抜く場合について述べる。
【００６６】
治具板５を手に取り、図１４に示すようにラッチ片３８が想像線の状態になるように治具調整ねじ４３を回転する。
【００６７】
この状態で治具板５にケーブル付きのプラグコネクタ３を装着すべく図６に示すように、ケーブル８，８にコネクタ保持板２７が挟持された状態でケーブル８に沿ってコネクタ保持板２７を走らせる。やがて治具板５のラッチ片３８はプラグコネクタ３の突起１７と係合されてロック状態になるから、その状態で治具板５を引っぱれば、その時の引っ張り力は、治具板５−ラッチ部１９−突起１７経由でプラグコネクタ３に伝達される。このときコネクタロックツメ部１０ａのツメ１３，１３のレセプタクルコネクタ２の前記係合孔１２，１２との係合は、解除されるようになっている。
【００６８】
この解除の実行は、治具板５のコネクタロックツメ解放板４０が、その先端でシーソー機構の採用されたコネクタロックツメ部１０ａの反ツメ側端１６と当接し、さらなる治具板５の進行と相俟って前記反ツメ側端１６が下方に押しやられ、その結果コネクタロックツメ部１０ａのツメ１３が係合孔１２から上方に離れることによる（図２０，図２１参照）。
【００６９】
加えて、作業者は、図２２〜図２４にわかるように、治具板５の取って５ａを把持しつつケーブル８を引っ張ればその引っ張り力でプラグコネクタ３とレセプタクルコネクタ２との接合も解ける。なお、コネクタ保持板２７がスリット２５及び案内溝２１に嵌合されているので、治具板５はテンプレート４に案内されながらレセプタクルコネクタ２から引き離したプラグコネクタ３を確実かつ迅速に移動できる。　プラグコネクタ３をレセプタクルネクタ２から引き抜く場合にあってもプラグコネクタ３は、保持手段２９により前後上下左右方向において制動されながら移動する。
【００７０】
しかして、コネクタ挿脱用装置１には、プラグコネクタ３をレセプタクルコネクタ２に案内する案内手段としてのテンプレート４と、このテンプレート４を介してレセプタクルコネクタ２に向けてプラグコネクタ３を送るコネクタ移動手段としての治具板５とを有している。そして、治具板５には、プラグコネクタ３を保持する保持手段２９を有する。
【００７１】
よって、コネクタ挿脱時に他の収容部品やコネクタを破損したりすることがなく、容易でかつ確実にレセプタクルコネクタ２に対するプラグコネクタ３の挿脱ができる。したがって、作業者が手を差込みにくい位置で接続され、かつ小型である故、把持が不安定かつ不確実である小型のコネクタの挿脱であっても、その挿脱時に他の収容部品やコネクタを破損招来することがない。
【００７２】
また、本実施形態は、狭深箇所に取り付けられるレセプタクルコネクタ２に対し、プラグコネクタ３を挿脱するためのコネクタ挿脱方法であって、前記プラグコネクタ３を前記レセプタクルコネクタ２に対して挿脱するために前記プラグコネクタ３を前記レセプタクルコネクタ２に対して近づけたり遠ざけたりするための案内溝２１が形成されたテンプレート４と、前記案内溝２１に沿って前記プラグコネクタ３を移動する治具板５とを用いてコネクタの挿脱を行うコネクタ挿脱方法としても適用できるのはいうまでもない。
【発明の効果】
以上説明したように本発明によれば、作業者が手を差込みにくい位置で接続され、かつ小型である故、把持が不安定かつ不確実である小型のコネクタであっても、その挿脱時に他の収容部品やコネクタを破損したりすることがなく、容易でかつ確実に挿脱できる。
【図面の簡単な説明】
【図１】本発明に係るコネクタ挿脱用装置を用いてレセプタクルコネクタにプラグコネクタを接続する前の状態を示す斜視図である。
【図２】本発明に係るコネクタ挿脱用装置を用いてレセプタクルコネクタにプラグコネクタを接続した後の状態を示す正面図である。
【図３】図２の左側面図である。
【図４】治具板にプラグコネクタを取り付けた状態でレセプタクルコネクタに差し込もうとしている直前の斜視図である。
【図５】プラグコネクタをレセプタクルコネクタに差し込んで治具板を引き抜いた直後の状態を示す斜視図である。
【図６】レセプタクルコネクタからプラグコネクタを引き抜こうとする直前状態を示す斜視図である。
【図７】レセプタクルコネクタからプラグコネクタを引き抜いた直後の斜視図である。
【図８】テンプレートの斜視図である。
【図９】テンプレートの正面図である。
【図１０】図９の矢印Ｘ方向から見た図である。
【図１１】治具板の全体斜視図である。
【図１２】治具板の要部拡大斜視図である。
【図１３】別方向から見た治具板の全体斜視図である。
【図１４】図１３における矢印ＸＩＶ方向から見た図である。
【図１５】図１３における矢印ＸＶ方向から見た図である。
【図１６】図１３における矢印ＸＶＩ方向から見た図である。
【図１７】治具板をプラグコネクタに取り付ける前の状態を示す側面図である。
【図１８】治具板をプラグコネクタに取り付けた状態の側面である。
【図１９】レセプタクルコネクタに差し込まれているプラグコネクタを治具板を用いて引き抜くためにケーブルの間に治具板を挟持する前の状態を示す図である。
【図２０】治具板を用いてレセプタクルコネクタからプラグコネクタを引き抜こうとしている直前状態を示す側面図であって、コネクタロックツメ解放板によってコネクタロックツメが開かれている状態を示す図である。
【図２１】図２０に連続する動作説明図であって、ラッチ部が係合用突起をロックしている状態を説明する側面図である。
【図２２】図２１に連続する動作説明図であって、コネクタ保持板がスリットに入っている状態を説明する図である。
【図２３】図２２に連続する説明図であって、スリットからコネクタ保持板がでる直前の図である。
【図２４】図２３に連続する説明図であって、スリットからコネクタ保持板がでた後の図である。
【図２５】図２２のＩＩＸＶ−ＩＩＸＶ線概略断面図である。
【図２６】図２４のＩＩＸＶＩ−ＩＩＸＶＩ線概略断面図である。
【符号の説明】
１　コネクタ挿脱用装置
２　レセプタクルコネクタ（一方のコネクタ）
３　プラグコネクタ（他方のコネクタ）
３ａ　コネクタの上面
３ｂ　コネクタの後端部
４　テンプレート（案内手段）
５　治具板（コネクタ移動手段）
５ａ　取っ手
５ｂ　作用部
６　凹部
７　凸部
８　ケーブル
９　一平面
１０　ロック機構
１０ａ　コネクタロックツメ部
１１　一平面
１２　係合孔
１３　ツメ
１４　枢軸
１５　板ばね
１６　反ツメ側端
１７　突起（係合用突起）
１８　連結手段
１９　ラッチ部（係合手段）
２１　案内溝
２３　先端部
２５　スリット
２７コネクタ保持板（スライド嵌合片，左右抑制板，保持手段の構成部位）
２７ａ　先端縁
２７ｂ　下縁
２７ｃ　頂点
２８ａ　すき間
２８ｂ　すき間
２９　保持手段（上下挟持部，左右抑制板）
２９　頂点
３１　上下挟持部
３１　長尺脚片
３３　長尺脚片
３３ａ　下面
３４　隙間
３６　短尺脚片
３８　ラッチ片
４０　コネクタロックツメ解放板（ロック解除機構）
４３　治具調整ねじ
【図１】
2004039305.tif 000003
【図２】
2004039305.tif 000004
【図３】
2004039305.tif 000005
【図４】
2004039305.tif 000006
【図５】
2004039305.tif 000007
【図６】
2004039305.tif 000008
【図７】
2004039305.tif 000009
【図８】
2004039305.tif 000010
【図９】
2004039305.tif 000011
【図１０】
2004039305.tif 000012
【図１１】
2004039305.tif 000013
【図１２】
2004039305.tif 000014
【図１３】
2004039305.tif 000015
【図１４】
2004039305.tif 000016
【図１５】
2004039305.tif 000017
【図１６】
2004039305.tif 000018
【図１７】
2004039305.tif 000019
【図１８】
2004039305.tif 000020
【図１９】
2004039305.tif 000021
【図２０】
2004039305.tif 000022
【図２１】
2004039305.tif 000023
【図２２】
2004039305.tif 000024
【図２３】
2004039305.tif 000025
【図２４】
2004039305.tif 000026
【図２５】
2004039305.tif 000027
【図２６】
2004039305.tif 000028